(57)【要約】【課題】浴槽排水を受入室内で旋回させてヘアキャッチャー内を旋回流中に浸漬させるようにした浴室排水装置において、浴槽排水時にはヘアキャッチャーが水に深く漬り、非排水時にはヘアキャッチャーが封水面よりも上位置に位置するように構成する。【解決手段】浴槽３から排水すべくボタン３４ａを押すと、栓体３１が上昇して開栓すると共にヘアキャッチャー１５が下降し、受入室１１内に旋回流が形成される。そして、ヘアキャッチャー１５が水中に深く漬かっているので、ゴミがヘアキャッチャー１５内の底面中央部に効率よく集められる。浴槽３からの排水が終了した後は、ボタン３４ａをもう１回押す。そうすると、栓体３１が下降して閉栓すると共に、ヘアキャッチャー１５が上昇し、第６図の通り封水面Ｗよりも上位に位置する。【選択図】図６
2010190005.tif 000002
【特許請求の範囲】
【請求項１】
上部から洗い場排水が流入する排水トラップと、
浴槽排水を該排水トラップに導入する浴槽排水流路と
を有する浴室排水装置であって、
該排水トラップは、洗い場排水の受入口を上部に有すると共に、該浴槽排水流路が略接線方向に接続されており、該浴槽排水流路からの浴槽排水を略接線方向に受け入れて旋回させる受入室を備えており、
該受入口を通って受入室内にヘアキャッチャーが差し込まれて装着されている浴室排水装置において、
該ヘアキャッチャーの装着高さが変更可能となっていることを特徴とする浴室排水装置。
【請求項２】
請求項１において、前記ヘアキャッチャーの上下動を案内する案内部材が設けられていることを特徴とする浴室排水装置。
【請求項３】
請求項１又は２において、前記ヘアキャッチャーを押上げ及び引下げて上下動させるための上下動手段が設けられていることを特徴とする浴室排水装置。
【請求項４】
請求項３において、前記上下動手段は、レリースワイヤと、該レリースワイヤの一端側に設けられた操作部材と、他端側に設けられ、ヘアキャッチャーを上下させる被動部材とを有することを特徴とする浴室排水装置。
【請求項５】
請求項４において、前記操作部材の操作によって浴槽排水栓を上下動させる浴槽排水栓駆動装置が設けられており、浴槽排水栓の上昇及び下降とヘアキャッチャーの下降及び上昇とを連動させたことを特徴とする浴室排水装置。
【請求項６】
請求項３において、前記上下動手段は、受入室内の旋回水流の水勢を受けて下降力を生じさせる板状体を有し、該板状体の上下によってヘアキャッチャーを上下動させるよう構成されていることを特徴とする浴室排水装置。
【請求項７】
請求項６において、前記板状体の鉛直断面形状が翼形であることを特徴とする浴室排水装置。
【請求項８】
請求項３において、前記上下動手段は、受入室内の水面に位置するフロートを有し、水面位の変化に伴う該フロートの上昇又は下降によってヘアキャッチャーを引き下げ又は押し上げるように構成されていることを特徴とする浴室排水装置。
【請求項９】
請求項８において、前記上下動手段は、水平支軸によって回動可能に支承されたレバーを備えており、該レバーの一端側に前記フロートが設けられ、該レバーの他端側によって前記ヘアキャッチャーを上下させるよう構成されていることを特徴とする浴室排水装置。
【発明の詳細な説明】
【技術分野】
【０００１】
本発明は、浴槽排水及び洗い場排水を排水トラップに流入させて排出する浴室排水装置に係り、特に、排水トラップの受入室に浴槽排水を略接線方向に受け入れて旋回流を形成させるよう構成された浴室排水装置に関する。
【背景技術】
【０００２】
洗い場排水を受け入れる洗い場排水受入口が上部に設けられていると共に、浴槽排水を側周面から受け入れてトラップ内に旋回流を形成させるようにした排水トラップが特許第３８８６０５５号、特開２００８−１４１３５号に記載されている。このトラップの洗い場排水受入口には、上方が開放したカゴ（篭）状のヘアキャッチャーが着脱自在に装着されている。このヘアキャッチャーは、トラップ内の軸心部付近に垂下している。浴槽排水がトラップ内に流入し、トラップ内の水位が上昇して旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【先行技術文献】
【特許文献】
【０００３】
【特許文献１】特許第３８８６０５５号
【特許文献２】特開２００８−１４１３５号
【発明の概要】
【発明が解決しようとする課題】
【０００４】
上記特許文献１，２の浴室排水装置にあっては、ヘアキャッチャーの上縁外周に周回状に溝が設けられており、この溝に対し受入口上縁内周の突起が係合することにより、ヘアキャッチャーが装着される。
【０００５】
このヘアキャッチャーの装着高さは、該溝と突起との係合によって一義的に定まる。そのため、ヘアキャッチャーの装着高さを変更することはできない。
【０００６】
この浴室排水装置にあっては、浴槽から排水を行うときには、ヘアキャッチャーを十分に旋回流中に水没させ、ヘアキャッチャー内の毛髪などのゴミを十分に旋回させることにより、ゴミがヘアキャッチャーの中央に集まり易くなる。このためには、ヘアキャッチャーはなるべく低位に設けられることが望ましい。
【０００７】
一方、浴槽から排水を行っていないときには、ヘアキャッチャーは水面よりも上位に位置することが好ましく、これによりヘアキャッチャーにヌメリなどが付くことが防止される。そのためには、ヘアキャッチャーはなるべく高位に位置することが好ましい。
【０００８】
本発明は、ヘアキャッチャーを上下動可能とすることにより、かかる相反する要望を満すことができる浴室排水装置を提供することを目的とする。
【課題を解決するための手段】
【０００９】
本発明（請求項１）の浴室排水装置は、上部から洗い場排水が流入する排水トラップと、浴槽排水を該排水トラップに導入する浴槽排水流路とを有する浴室排水装置であって、該排水トラップは、洗い場排水の受入口を上部に有すると共に、該浴槽排水流路が略接線方向に接続されており、該浴槽排水流路からの浴槽排水を略接線方向に受け入れて旋回させる受入室を備えており、該受入口を通って受入室内にヘアキャッチャーが差し込まれて装着されている浴室排水装置において、該ヘアキャッチャーの装着高さが変更可能となっていることを特徴とするものである。
【００１０】
請求項２の浴室排水装置は、請求項１において、前記ヘアキャッチャーの上下動を案内する案内部材が設けられていることを特徴とするものである。
【００１１】
請求項３の浴室排水装置は、請求項１又は２において、前記ヘアキャッチャーを押上げ及び引下げて上下動させるための上下動手段が設けられていることを特徴とするものである。
【００１２】
請求項４の浴室排水装置は、請求項３において、前記上下動手段は、レリースワイヤと、該レリースワイヤの一端側に設けられた操作部材と、他端側に設けられ、ヘアキャッチャーを上下させる被動部材とを有することを特徴とするものである。
【００１３】
請求項５の浴室排水装置は、請求項４において、前記操作部材の操作によって浴槽排水栓を上下動させる浴槽排水栓駆動装置が設けられており、浴槽排水栓の上昇及び下降とヘアキャッチャーの下降及び上昇とを連動させたことを特徴とするものである。
【００１４】
請求項６の浴室排水装置は、請求項３において、前記上下動手段は、受入室内の旋回水流の水勢を受けて下降力を生じさせる板状体を有し、該板状体の上下によってヘアキャッチャーを上下動させるよう構成されていることを特徴とするものである。
【００１５】
請求項７の浴室排水装置は、請求項６において、前記板状体の鉛直断面形状が翼形であることを特徴とするものである。
【００１６】
請求項８の浴室排水装置は、請求項３において、前記上下動手段は、受入室内の水面に位置するフロートを有し、水面位の変化に伴う該フロートの上昇又は下降によってヘアキャッチャーを引き下げ又は押し上げるように構成されていることを特徴とするものである。
【００１７】
請求項９の浴室排水装置は、請求項８において、前記上下動手段は、水平支軸によって回動可能に支承されたレバーを備えており、該レバーの一端側に前記フロートが設けられ、該レバーの他端側によって前記ヘアキャッチャーを上下させるよう構成されていることを特徴とするものである。
【発明の効果】
【００１８】
本発明（請求項１）の浴室排水装置にあっては、ヘアキャッチャーの装着高さが変更可能となっているので、浴槽から排水を行うときには、ヘアキャッチャーの装着位置を下げ、浴槽から排水を行っていないときには、ヘアキャッチャーの装着位置を上げることができる。
【００１９】
これにより、浴槽排水時には、ヘアキャッチャーを旋回流中に深く漬けることができるので、ヘアキャッチャーに付着しているゴミが十分にこすり落とされると共に、このゴミがヘアキャッチャーの底面中央部に極めて効率よく集められる。また、浴槽から排水を行っていないときには、ヘアキャッチャーを受入室内の水面よりも上位に位置させることができるので、ヘアキャッチャーが乾燥し、ヌメリなどが防止される。
【００２０】
請求項２の浴室排水装置にあっては、ヘアキャッチャーが案内部材に案内されてスムーズに上下動する。
【００２１】
請求項３の浴室排水装置にあっては、ヘアキャッチャーを上下動手段により容易に上下動させることができる。
【００２２】
請求項４の浴室排水装置にあっては、ヘアキャッチャーを上下させる被動部材を、レリースワイヤを介して操作部材により遠隔操作することができるので、排水トラップ内に手を入れたりする必要が無く、容易に且つ衛生的にヘアキャッチャーを上下動させることができる。
【００２３】
請求項５の浴室排水装置にあっては、この操作部材を操作することにより、浴槽排水栓の上昇及び下降とヘアキャッチャーの下降及び上昇とが連動して行われるため、浴槽排水時にヘアキャッチャーを下降させるための別途の操作が不要であり、便利である。
【００２４】
請求項６の浴室排水装置にあっては、浴槽排水時には、板状体が受入室内の旋回水流の水勢を受けて下降力を生じさせることによりヘアキャッチャーが下降するので、浴槽排水時にヘアキャッチャーを下降させるための別途の操作が不要であり、便利である。
【００２５】
請求項７の浴室排水装置にあっては、この板状体は、鉛直断面形状が翼形のものである。この翼形の板状体は、受入室内に旋回流が生じたときに、下向きの揚力が生じるように設置される。
【００２６】
請求項８の浴室排水装置にあっては、浴槽排水時に伴い受入室内の水面位が上昇してフロートが上昇することにより、ヘアキャッチャーが引き下げられるよう構成されているので、浴槽排水時にヘアキャッチャーを下降させるための別途の操作が不要であり、便利である。
【００２７】
請求項９の浴室排水装置にあっては、水平支軸によって回動可能に支承されたレバーの一端側にフロートが設けられ、該レバーの他端側によってヘアキャッチャーを上下させるものであるため、構成が簡易である。
【００２８】
上記請求項７〜９の浴室排水装置にあっては、ヘアキャッチャーを上下動させるための別途の動力源も不要である。
【図面の簡単な説明】
【００２９】
【図１】実施の形態に係る浴室排水装置の排水トラップの模式的な縦断面図である。
【図２】図１のヘアキャッチャー付近の模式的な拡大図である。
【図３】図１の浴室排水装置において浴槽から排水を行っている状態を示す模式的な縦断面図である。
【図４】図１の浴室排水装置の排水トラップの斜視図である。
【図５】図４のＶ−Ｖ線に沿う断面図斜視図である。
【図６】実施の形態に係る浴室排水装置の排水トラップの模式的な縦断面図である。
【図７】実施の形態に係る浴室排水装置の排水トラップの模式的な縦断面図である。
【図８】図７の浴室排水装置の排水トラップの浴槽排水時を示す模式的な縦断面図である。
【図９】実施の形態に係る浴室排水装置の排水トラップの模式的な縦断面図である。
【図１０】図９の排水トラップのヘアキャッチャー付近の断面斜視図である。
【図１１】実施の形態に係る浴室排水装置の排水トラップの模式的な縦断面図である。
【図１２】実施の形態に係る浴室排水装置の排水トラップの模式的な縦断面図である。
【図１３】図１２の浴室排水装置の排水トラップの浴槽排水時を示す模式的な縦断面図である。
【発明を実施するための形態】
【００３０】
以下に、本発明の実施の形態を図面に基づいて説明する。
【００３１】
＜第１の実施の形態（第１図〜第５図）＞
第１図〜第３図は、浴室の床部に設置された、実施の形態に係る浴室排水装置の排水トラップの模式的な断面図であり、第１図は浴槽が空の状態を示し、第２図は第１図の一部の拡大図であり、第３図は浴槽から排水を行っている状態を示している。第４図はこの浴室排水装置の具体的な斜視図、第５図は第４図のＶ−Ｖ線断面図である。
【００３２】
浴室１の洗い場パン２の浴槽３側に排水枡４が一体形成されている。この排水枡４に対し下側から排水トラップ１０が連結されている。排水トラップ１０は、軸心線方向を鉛直方向とした略円筒形の受入室１１を有している。
【００３３】
この受入室１１の側面の流入口１２と浴槽３の底面の排水口３ａとが接続部５を介して接続されている。この流入口１２は受入室１１に対し接線方向に水を流入させるように設けられている。
【００３４】
受入室１１の上面部には、洗い場パン２側からの排水が排水枡４を通り流入する洗い場排水受入口１３が設けられている。
【００３５】
排水枡４は洗い場パン２と一体状に凹み状に形成されている。その上面には排水目皿（図示略）が覆設されている。
【００３６】
排水枡４の底部の開口には円筒形のフランジ部材１４がパッキン（図示略）を介して内嵌状に取り付けられ、このフランジ部材１４にネジ込み方式により、排水トラップ１０の上端が取り付けられている。フランジ部材１４を通して、受入口１３内に上方から着脱可能にヘアキャッチャー１５が差し込まれている。フランジ部材１４の上端の外周側は鍔状となっており、この鍔状部が排水枡４の底面開口の縁部に上側から重なっている。
【００３７】
第２図に明示の通り、フランジ部材１４の下端の内周側に張出部１４ａが設けられている。この張出部１４ａに支承されるようにしてスラストロック２０が設けられている。
【００３８】
このヘアキャッチャー１５は、上面が開いたカゴ（篭）状である。この実施の形態では、ヘアキャッチャー１５は下方側へ向かって縮径する略逆円錐台形状を有する。ヘアキャッチャー１５は、その上端の外周側に鍔部１５ａが設けられている。ヘアキャッチャー１５は、その鍔部１５ａがフランジ部材１４の内周面に沿って上下動するように配置されている。
【００３９】
スラストロック２０は、シリンダ部２０ａとロッド２０ｂとを備えている。シリンダ部２０ａ内には、スラストロック機構が設けられており、ロッド部２０ｂが押し込まれるとロッド部２０ｂは押し込まれた位置にロックされ、もう１回ロッド部２０ｂが押されると、ロッド部２０ｂがシリンダ部２０ａ内のバネ（図示略）によって押されて上方へ突出するよう構成されている。このようなスラストロックは、特開平９−２０３０９５等に記載の通り周知のものであり、また各種のものが市販されている。
【００４０】
このスラストロック２０は、ロッド部２０ｂが上方に突出するようにフランジ部材１４の内周に沿って等間隔にて複数個設置されている。
【００４１】
このロッド部２０ｂの先端がヘアキャッチャー１５の鍔部１５ａの下面側に当接し、ヘアキャッチャー１５を支持している。従って、ヘアキャッチャー１５を上方から押し込むと、ヘアキャッチャー１５は第３図の下降位置をとり、もう１回押すとヘアキャッチャー１５は第１，２図の上昇位置をとる。なお、ヘアキャッチャー１５の上昇位置と下降位置とのレベル差は５〜５０ｍｍ特に１０〜３０ｍｍ程度が好適である。
【００４２】
第１，３図に明示の通り、受入室１１の底面の中央に流出口１６が設けられている。この流出口１６の口径は、受入室１１の内径よりも小さいものとなっている。受入室１１の下側から側面にかけて流出室１７が設けられている。
【００４３】
この実施の形態では、流出室１７は流入口１２と反対側に設けられているが、これに限定されない。流出室１７は、受入室１１の外側面に沿って封水面Ｗよりも上方にまで立ち上がっている。この流出室１７の上部に、排水流路としての排水管接続部１８が連なっている。この排水管接続部１８に排水管１９が接続される。この排水管接続部１８の底面のレベルが封水面Ｗとなっている。
【００４４】
流出室１７内と浴室内とを連通するように通気管２４，２５が設けられている。この通気管２５はヘアキャッチャー１５と一体に上下方向に設けられている。通気管２５は、その下端が通気管２４の上端に着脱自在に嵌合している。通気管２４は、受入室１１内から、その側周壁を貫いて流出室１７内に延在している。この通気管２４の下端部は、大径筒状となっており、その底面に複数の小孔２４ａが設けられている。流出室１７内に水が流れると、通気管２４，２５を通って流水に気泡が混入する。
【００４５】
なお、通気管２４，２５が嵌合することにより、受入室１７内の旋回流がヘアキャッチャー１５に作用しても、ヘアキャッチャー１５は旋回しない。
【００４６】
このように構成された排水トラップの作動について次に説明する。
【００４７】
水を張った浴槽３から排水を行うときには、ヘアキャッチャー１５を押し込んで第３図の下降状態としておいて排水口３ａの排水栓を抜く。そうすると、浴槽３内の水が流入口１２から排水トラップ１０の受入室１１内に流入し、この受入室１１内に渦状の旋回流を形成する。受入室１１内の水位は次第に上昇し、ヘアキャッチャー１５あるいはさらに排水枡４が旋回流に浸水した状態となる。これにより、排水枡４の内面やヘアキャッチャー１５に付着しているゴミがこすり落とされて、髪の毛等のゴミは渦の中心に集められ、ヘアキャッチャー１５の底面中央部に良好に集められる。
【００４８】
この実施の形態では、ヘアキャッチャー１５が水に深く漬っているので、ヘアキャッチャー１５に付着しているゴミが十分にこすり落とされると共に、ゴミがヘアキャッチャー１５の底面中央部に極めて効率よく集められる。
【００４９】
受入室１１内で旋回している水の一部は、渦の中心付近から受入室１１の底部中央の流出口１６、流出室１７及び排水管接続部１８を経て排水管１９へ流出する。
【００５０】
流出室１７内に水が流れると、通気管２５，２４及び小孔２４ａを介して流水に気泡が混入する。これにより、排水管１９に生じる負圧が軽減される。この結果、排水トラップ１０の流出室１７の水が殆どすべて排水管１９へ吸い出されて排水トラップが破封することが防止される。
【００５１】
この実施の形態では、受入室１１内の渦状の旋回流が小口径の流出口１６を経て流出室１７へ流出する。この流出口１６付近では、旋回半径が受入室１１内における旋回半径よりも小さいため、旋回流速が大きい。この結果、受入室１１内の旋回流も、この流出口１６付近の高旋回流速に付随して高速となる。そのため、浴槽３の水位が低く流入口１２からの流入流速が小さい場合でも、受入室１１内に強力な旋回流が形成され、ヘアキャッチャー１５や排水枡４が十分に洗浄される。また、ゴミがヘアキャッチャー１５の中心部に効率よく集められる。
【００５２】
浴槽３からすべての水が流出すると、旋回流は停止し、排水トラップ１０内には封水面Ｗのレベルの封水が残る。また、通気管２４内にも小孔２４ａから水が流入し、通気管２４内にも封水面Ｗまで封水が存在する。
【００５３】
これにより、排水管１９側と洗い場及び浴槽３側とはいずれも封水によって隔絶されることになり、排水管１９の臭気が洗い場や浴槽３へ逆流することが防止される。
【００５４】
このように浴槽３からの排水が終了した後は、ヘアキャッチャー１５を下向きに押圧してから手を離し、スラストロック２０のロッド２０ｂを突出させてヘアキャッチャー１５を上昇させる。これにより、第１，２図の通り、ヘアキャッチャー１５の下端が封水面Ｗよりも上位となるので、ヘアキャッチャー１５が乾燥し、ヌメリなどが防止される。なお、通気管２５を摘んでヘアキャッチャー１５を取り出し、ゴミを捨てることができる。
【００５５】
＜第２の実施の形態（第６図）＞
第６図は別の実施の形態に係る浴室排水装置の排水トラップ１０Ａの縦断面図である。
【００５６】
この実施の形態では、浴槽３の排水口３ａにポップアップ式の排水栓装置３０が設けられている。この排水栓装置３０は、排水口に上方から接離する栓体３１と、この栓体３１を上下動させるためのレリースワイヤ３２及びその操作部３４とを有する。レリースワイヤ３２の芯材３２ａは、案内筒３２ｂから上方に突出し、栓体３１の底面の小穴に嵌合している。案内筒３２ｂは、排水口３２ａに固定されている。なお、このようなポップアップ式排水栓装置３０は、前記の特開平９−２０３０９５号のほか、特開平６−１８００２０号などに見られる通り周知であり、また広く市販されている。操作部３４内にはスラストロック機構が組み込まれており、操作部３４のボタン３４ａを押し込むと、ボタン３４ａは押込位置にロックされる。また、芯材３２ａの先端が上方に突出し、栓体３１が押し上げられ、開栓する。ボタン３４ａをもう１回押すと、ボタン３４ａが上昇し、芯材３２ａが後退して栓体３１が下降し、閉栓する。
【００５７】
この実施の形態では、ヘアキャッチャー１５の下方に、該ヘアキャッチャー１５を昇降させるための昇降装置３９が設置されている。操作部３４からこの昇降装置３９にレリースワイヤ３８が接続されている。昇降装置３９は、ヘアキャッチャー１５を押し上げるためのロッド３９ａと、このロッド３９ａを上下に進退させるスラストロック機構とを備えている。昇降装置３９は、ロッド３９ａを上向きにして受入室１１内の中央に配置され、支柱３６によって支持されている。ロッド３９ａの上端はヘアキャッチャー１５の底面中央に当接している。
【００５８】
この昇降装置３９は、第６図に示すように、栓体３１が閉栓状態にあるときには、ロッド３９ａが上方に突出した状態でロックされており、これにより、ヘアキャッチャー１５は該ロッド３９ａに支持されて上昇位置をとっている。操作部３４のボタン３４ａを１回押すと、このロッド３９ａのロックが解除されてロッド３９ａが下方に後退し、これに伴ってヘアキャッチャー１５が自重により下降する。このとき、栓体３１が開栓する。ボタン３４ａをもう１回押すと、ロッド３９ａが上方へ突出し、これによりヘアキャッチャー１５が上昇位置まで押し上げられる。このとき、栓体３１が閉栓する。
【００５９】
なお、この実施の形態では、フランジ部材１４とヘアキャッチャー１５との間に第１図〜第５図のスラストロック２０は設けられていない。ヘアキャッチャー１５は、通気管２５，２４同士の摺動によってその上下動が案内される。
【００６０】
第６図のその他の構成は第１図〜第５図と同一であり、同一符号は同一部分を示している。
【００６１】
このように構成された排水トラップ１０Ａの動作を次に説明する。
【００６２】
第６図は、浴槽３に水を張った状態であり、栓体３１は閉栓し、ヘアキャッチャー１５は上昇位置にある。このとき、ヘアキャッチャー１５は排水トラップ１０Ａの封水面Ｗよりも上方に位置している。
【００６３】
浴槽３から排水すべくボタン３４ａを押すと、栓体３１が上昇して開栓すると共に、ヘアキャッチャー１５が下降し、受入室１１内に旋回流が形成される。そして、ヘアキャッチャー１５が水中に深く漬かっているので、第１図〜第５図の場合と同様に、ゴミがヘアキャッチャー１５内の底面中央部に効率よく集められる。
【００６４】
浴槽３からの排水が終了した後は、ボタン３４ａをもう１回押す。そうすると、栓体３１が下降して閉栓すると共に、ヘアキャッチャー１５が上昇し、第６図の通り封水面Ｗよりも上位に位置する。
【００６５】
この実施の形態では、操作部３４によって排水栓体３１の上昇・下降とヘアキャッチャー１５の下降・上昇とを併せて行うようにしているので、浴槽３からの排水操作に連動してヘアキャッチャー１５が下降し、浴槽排水時には必らずヘアキャッチャー１５が下降位置をとるようになる。このため、浴槽排水時にヘアキャッチャー１５を下降させるための別途の操作が不要であり、便利である。
【００６６】
＜第２の実施の形態の変形例（第７，８図）＞
第７，８図は上記第２の実施の形態の変形例に係る浴室排水装置の排水トラップ１０Ａ’の縦断面図であり、第７図は浴槽が空の状態を示し、第８図は浴槽から排水を行っている状態を示している。
【００６７】
第６図の実施の形態では、排水栓体３１の上昇・下降と連動させて、スラストロック機構を有する昇降装置３９によりヘアキャッチャー１５を下降・上昇させているが、ヘアキャッチャー１５の昇降機構はこれに限定されない。
【００６８】
例えば、第７，８図の排水トラップ１０Ａ’のように、梃子機構６０によりヘアキャッチャー１５を昇降させるよう構成してもよい。
【００６９】
この梃子機構６０は、受入室１１内に設けられた軸支部６２によって支持され、上下方向回動自在に設置されたレバー６１を備えている。該レバー６１は、その長手方向の途中部が軸支部６２によって支持されている。このレバー６１の先端側は、受入室１１の中心付近まで延在し、そこから上方に立ち上がって立上部６１ａとなっている。この立上部６１ａの上端がヘアキャッチャー１５の底面中央に当接している。
【００７０】
この実施の形態では、操作部３４からこのレバー６１の後端にレリースワイヤ３８が接続されている。このレリースワイヤ３８の芯材３８ａは、案内筒３８ｂから上方に突出し、その先端がレバー６１の後端に対しヒンジ（符号略）を介して該レバー６１の延在方向に回動自在に接続されている。案内筒３８ｂは、受入室１１内において、このレバー６１の後端の下方に筒軸心方向を略鉛直方向として固定設置されている。
【００７１】
第７，８図のその他の構成は第６図と同一であり、同一符号は同一部分を示している。
【００７２】
このように構成された排水トラップ１０Ａ’の操作方向は、第６図の排水トラップ１０Ａと同様である。
【００７３】
即ち、第７図のように浴槽３内に水を張った状態から、この水を排出すべく操作部３４のボタン３４ａを押し込むと、レリースワイヤ３２の芯材３２ａの先端が上方に突出し、栓体３１が押し上げられ、開栓する。また、レリースワイヤ３８の芯材３８ａの先端も上方へ突出し、レバー６１の後端を押し上げる。これにより、第８図の如くレバー６１の先端側の立上部６１ａが下降し、これに伴ってヘアキャッチャー１５が自重により下降する。このとき、ボタン３４ａが押込位置にロックされ、もう１度ボタン３４ａを押すまでこの状態が継続する。
【００７４】
これにより、浴槽３からの水の排水が行われる。この水は受入室１１に流入し、該受入室１１内に旋回流が形成される。この旋回流にヘアキャッチャー１５が深く漬かるので、ゴミがヘアキャッチャー１５内の底面中央部に効率よく集められる。
【００７５】
浴槽３からの排水が終了した後は、ボタン３４ａをもう１回押す。そうすると、ボタン３４ａが上昇し、レリースワイヤ３２の芯材３２ａが後退して栓体３１が下降し、閉栓する。また、レリースワイヤ３８の芯材３８ａも後退し、レバー６１の後端を引き下げる。これにより、第７図の如くレバー６１の先端側が上昇し、ヘアキャッチャー１５が立上部６１ａによって上昇位置まで押し上げられて封水面Ｗよりも上方に位置するようになる。
【００７６】
この実施の形態にあっても、操作部３４によって排水栓体３１の上昇・下降とヘアキャッチャー１５の下降・上昇とが併せて行われるため、浴槽３からの排水操作に連動してヘアキャッチャー１５が下降し、浴槽排水時には必らずヘアキャッチャー１５が下降位置をとるようになる。このため、浴槽排水時にヘアキャッチャー１５を下降させるための別途の操作が不要であり、便利である。
【００７７】
＜第３の実施の形態（第９図、第１０図）＞
第９図はさらに別の実施の形態に係る排水トラップ１０Ｂの模式的な縦断面図、第１０図は、この排水トラップ１０Ｂのヘアキャッチャー付近の断面斜視図である。
【００７８】
この実施の形態では、ヘアキャッチャー１５の下面側の中央部から下方に支持棒４０が突設されている。この支持棒４０の下端側は、受入室１１内の下部ないし中間部において受入室１１の外周に向って略水平方向に延出している。この支持棒４０の延出方向先端側に翼体４１が取り付けられている。この翼体４１は、飛行機の主翼を上下反転させた断面形状であり、且つ飛行機の前後方向が受入室１１内の水の旋回方向となるように支持棒４０に取り付けられている。従って、受入室１１内に旋回流が生じると、翼体４１に下向きの揚力が生じ、ヘアキャッチャー１５が引き下げられる。
【００７９】
支持棒４０及び翼体４１は、比重が１よりも小さい浮力材を有しており、受入室１１内に旋回流が生じていないときには、その浮力とヘアキャッチャー１５の重量とがバランスした高さにヘアキャッチャー１５が位置している。このとき、ヘアキャッチャー１５の下端は封水面Ｗよりも上位となるように浮力材の比重が選定されている。なお、浮力材としては発泡合成樹脂、発泡アルミなどが例示される。
【００８０】
なお、この実施の形態では、第１図〜第５図のスラストロック２０は設けられていない。ヘアキャッチャー１５は、通気管２５，２４同士の摺動によってその上下動が案内される。
【００８１】
第９，１０図のその他の構成は第１図〜第５図と同一であり、同一符号は同一部分を示している。
【００８２】
このように構成された排水トラップ１０Ｂの動作を次に説明する。
【００８３】
第９図は、浴槽３が空になった状態であり、ヘアキャッチャー１５は排水トラップ１０Ｂの封水面Ｗよりも上方に位置している。
【００８４】
水を張った浴槽３から排水すべく排水栓を抜くと、浴槽排水が受入室１１内に流入し、受入室１１内に旋回流が形成される。そして、翼体４１に下向きの揚力が生じ、ヘアキャッチャー１５が下方に移動する。なお、翼体４１が受入室１１の底面に着底した位置がヘアキャッチャー１５の下降限である。このようにヘアキャッチャー１５が水中に深く漬かることにより、第１図〜第５図の場合と同様に、ゴミがヘアキャッチャー１５内の底面中央部に効率よく集められる。
【００８５】
浴槽３からの排水が終了した後は、受入室１１内の旋回流が停止し、翼体４１に下向き揚力が生じなくなるので、翼体４１及び支持棒４０の浮力によってヘアキャッチャー１５が第９，１０図の通り封水面Ｗよりも上位にまで上昇する。
【００８６】
この実施の形態では、浴槽３からの排水の旋回流によって翼体４１に下向きの揚力を生じさせてヘアキャッチャー１５を下降させるので、浴槽排水時には必らずヘアキャッチャー１５が下降位置をとるようになる。このため、浴槽排水時にヘアキャッチャー１５を下降させるための別途の操作が不要であり、便利である。
【００８７】
＜第４の実施の形態（第１１図）＞
第１１図はさらに別の実施の形態に係る排水トラップ１０Ｃの模式的な縦断面図である。なお、第１１図では、レバー５１は、説明の便宜上、通気管２４を貫いているように図示されているが、実際には通気管２４とずれるように位置している。
【００８８】
この実施の形態では、受入室１１と流出室１７とを隔てる受入室周壁に軸支部５２が設けられ、レバー５１がこの軸支部５１によって支持され、上下方向回動自在に設置されている。レバー５１の後端は、流出室１７の水面付近にまで延在し、このレバー後端にフロート５０が取り付けられている。このフロート５０は、流出室１７の水面に浮んでいる。
【００８９】
レバー５１の先端側は、受入室１１の中心付近まで延在し、そこから上方に立ち上がって立上部５１ａとなっている。この立上部５１ａの上端がヘアキャッチャー１５の底面中央に当接している。
【００９０】
なお、この実施の形態では、第１図〜第５図のスラストロック２０は設けられていない。ヘアキャッチャー１５は、通気管２５，２４同士の摺動によってその上下動が案内される。
【００９１】
第１１図のその他の構成は第１図〜第５図と同一であり、同一符号は同一部分を示している。
【００９２】
このように構成された排水トラップ１０Ｃの動作を次に説明する。
【００９３】
第１１図は、浴槽３が空になった状態であり、フロート５０は封水面Ｗに浮んでいる。このとき、ヘアキャッチャー１５は排水トラップ１０Ｃの封水面Ｗよりも上方に位置している。
【００９４】
水を張った浴槽３から排水すべく排水栓を抜くと、流出室１７内の水位が上昇し、フロート５０が上昇し、レバー５１の立上部５１ａが下降する。これにより、ヘアキャッチャー１５はその自重によって下降し、受入室１１内に深く漬るようになる。このようにヘアキャッチャー１５が水中に深く漬かることにより、第１図〜第５図の場合と同様に、ゴミがヘアキャッチャー１５内の底面中央部に効率よく集められる。
【００９５】
浴槽３からの排水が終了した後は、流出室１７内の水位が封水面Ｗにまで低下するので、レバー５１の立上部５１ａが上昇し、ヘアキャッチャー１５が第１１図の通り封水面Ｗよりも上位にまで上昇する。
【００９６】
この実施の形態では、浴槽３からの排水開始に伴って上昇する流出室１７の水位によってフロート５０を上昇させ、ヘアキャッチャー１５を下降させるので、浴槽排水時には必らずヘアキャッチャー１５が下降位置をとるようになる。このため、浴槽排水時にヘアキャッチャー１５を下降させるための別途の操作が不要であり、便利である。
【００９７】
＜第４の実施の形態の変形例（第１２，１３図）＞
第１２，１３図は上記第４の実施の形態の変形例に係る浴室排水装置の排水トラップ１０Ｃ’の縦断面図であり、第１２図は浴槽が空の状態を示し、第１３図は浴槽から排水を行っている状態を示している。
【００９８】
第１１図の実施の形態では、流出室１７内にフロート５０が配置されているが、フロート５０の配置はこれに限定されない。
【００９９】
例えば、第１２，１３図の排水トラップ１０Ｃ’のように、フロート５０は受入室１１内に配置されてもよい。この排水トラップ１０Ｃ’においては、該受入室１１内にレバー５１の軸支部５２が設けられており、レバー５１は、全体が受入室１１内に配置され、その長手方向の途中部が該軸支部５２によって上下方向回動自在に支持されている。このレバー５１の先端側は受入室１１の中心付近まで延在しており、そこから立ち上がる立上部５１ａがヘアキャッチャー１５の底面中央部に当接している。受入室１１内において、このレバー５１の後端にフロート５０が接続されている。
【０１００】
第１２，１３図のその他の構成は第１１図と同一であり、同一符号は同一部分を示している。
【０１０１】
このように構成された排水トラップ１０Ｃ’の動作は、第１３図のように、浴槽３からの排水開始に伴って上昇する受入室１１内の水位によってフロート５０が上昇すること以外は、第１１図の排水トラップ１０Ｃと同様である。
【０１０２】
上記実施の形態は本発明の一例であり、本発明は図示以外の態様をもとりうる。
【符号の説明】
【０１０３】
３  浴槽
４  排水枡
１０，１０Ａ，１０Ａ’，１０Ｂ，１０Ｃ，１０Ｃ’  排水トラップ
１１  受入室
１２  流入口
１６  流出口
１７  流出室
１８  排水管接続部
１９  排水管
２０  スラストロック
２４，２５  通気管
３０  排水栓装置
３２，３８  レリースワイヤ
３４  操作部
３９  昇降装置
４０  支持棒
４１  翼体
５０  フロート
５１  レバー
５１ａ  立上部
５２  軸支部
６０  梃子機構
６１  レバー
６２  軸支部
【図１】
2010190005.tif 000003
【図２】
2010190005.tif 000004
【図３】
2010190005.tif 000005
【図４】
2010190005.tif 000006
【図５】
2010190005.tif 000007
【図６】
2010190005.tif 000008
【図７】
2010190005.tif 000009
【図８】
2010190005.tif 000010
【図９】
2010190005.tif 000011
【図１０】
2010190005.tif 000012
【図１１】
2010190005.tif 000013
【図１２】
2010190005.tif 000014
【図１３】
2010190005.tif 000015